(57)【要約】  プッシュ式シフト装置は、上下方向とは異なる方向をスライド方向とし、第１位置と第２位置との間でスライド方向に変位可能であるスライド式の第１操作ノブと、上側の表面に下側に凹む凹部を形成し、凹部内にスライド方向に開口しかつ第１操作ノブが設けられる開口部を形成するケース本体と、第１操作ノブの第２位置への変位に基づいて操作信号を生成する接点部と、第１操作ノブに接続され、ケース本体に対してスライド方向に変位可能に支持されるスライダとを備え、第１操作ノブが第２位置にあるとき、凹部と第１操作ノブとは、スライド方向に隙間を形成し、スライダは、隙間と、スライダよりも下方の空間とを上下方向に連通させる連通手段を備える。
2018225400.tif 000002
【特許請求の範囲】
【請求項１】
上下方向とは異なる方向をスライド方向とし、第１位置と第２位置との間で前記スライド方向に変位可能であるスライド式の第１操作ノブと、
上側の表面に下側に凹む凹部を形成し、前記凹部内に前記スライド方向に開口しかつ前記第１操作ノブが設けられる開口部を形成するケース本体と、
前記第１操作ノブの前記第２位置への変位に基づいて操作信号を生成する接点部と、
前記第１操作ノブに接続され、前記ケース本体に対して前記スライド方向に変位可能に支持されるスライダとを備え、
前記第１操作ノブが前記第２位置にあるとき、前記凹部と前記第１操作ノブとは、前記スライド方向に隙間を形成し、前記スライダは、前記隙間と、前記スライダよりも下方の空間とを上下方向に連通させる連通手段を備える、プッシュ式シフト装置。
【請求項２】
前記スライダは、前記隙間の下方に延在し、
前記スライダは、前記隙間の下方に延在する部位において、前記連通手段である上下方向の貫通穴を有する、請求項１に記載のプッシュ式シフト装置。
【請求項３】
前記スライダは、前記隙間の下方に延在する部位において、前記貫通穴を複数有し、前記貫通穴間の部位は、上側が狭くなる傾斜方向で面取りされている、請求項２に記載のプッシュ式シフト装置。
【請求項４】
前記第１操作ノブに対して、前記スライド方向で前記第１位置から前記第２位置に向かう側に隣接し、前記スライド方向とは異なる方向に変位可能な第２操作ノブを更に含む、請求項１〜３のうちのいずれか１項に記載のプッシュ式シフト装置。
【発明の詳細な説明】
【技術分野】
【０００１】
本開示は、プッシュ式シフト装置に関する。
【背景技術】
【０００２】
シフトレバーに代えて、操作ノブ（プッシュボタン）を介したシフト操作入力に応じて変速比の切り替えを行うプッシュ式シフト装置が知られている。プッシュ式シフト装置では、ケース本体が凹部を形成し、凹部内に、上下方向とは異なる方向に変位可能な操作ノブ（以下、「スライド式の操作ノブ」と称する）が設けられる場合がある。
【先行技術文献】
【特許文献】
【０００３】
【特許文献１】国際公開第２０１３／１８３５１３号パンフレット
【発明の概要】
【発明が解決しようとする課題】
【０００４】
しかしながら、上記のような従来技術では、凹部内に落下等する異物に起因してスライド式の操作ノブの本来の操作性が損なわれる虞がある。例えば、粘性の高い液体が凹部に侵入すると液体がスライド式の操作ノブとパネルとの間に流れこんで固まってしまい、操作ノブが固着して動かなくなる虞がある。これに対して、単純に操作ノブの手前に、液体を塞き止めるための壁を設けるだけでは、操作ノブのスライド操作時に壁とノブとの間にスライド方向の隙間ができ、お菓子などの大きめの固体がはさまると操作ノブが初期位置に戻れないという問題が生じる。【０００５】
そこで、１つの側面では、本発明は、凹部内に異物が落下等してもスライド式の操作ノブの本来の操作性を維持できる可能性を高めることを目的とする。
【課題を解決するための手段】
【０００６】
１つの側面では、上下方向とは異なる方向をスライド方向とし、第１位置と第２位置との間で前記スライド方向に変位可能であるスライド式の第１操作ノブと、
上側の表面に下側に凹む凹部を形成し、前記凹部内に前記スライド方向に開口しかつ前記第１操作ノブが設けられる開口部を形成するケース本体と、
前記第１操作ノブの前記第２位置への変位に基づいて操作信号を生成する接点部と、
前記第１操作ノブに接続され、前記ケース本体に対して前記スライド方向に変位可能に支持されるスライダとを備え、
前記第１操作ノブが前記第２位置にあるとき、前記凹部と前記第１操作ノブとは、前記スライド方向に隙間を形成し、前記スライダは、前記隙間と、前記スライダよりも下方の空間とを上下方向に連通させる連通手段を備える、プッシュ式シフト装置が提供される。
【発明の効果】
【０００７】
１つの側面では、本発明によれば、凹部内に異物が落下等してもスライド式の操作ノブの本来の操作性を維持できる可能性を高めることができる。
【図面の簡単な説明】
【０００８】
【図１】実施例１によるシフト装置１を概略的に示す上面図である。
【図２】図１のラインＡ−Ａに沿った断面を概略的に示す断面図である。
【図３】操作ノブ７が第２位置にあるときの断面図である。
【図４】上側スライダ５０、下側スライダ５２及びバネ９０の一例の詳細を示す斜視図である。
【図５】基板７０及び摺動接点５４の一例の詳細を示す斜視図である。
【図６】上側スライダ５０とケース部材１１０との関係を示す断面図である。
【図７】比較例で生じる不都合の説明図である。
【図８】比較例で生じる不都合の説明図である。
【図９】実施例１による効果の説明図である。
【図１０】実施例１による効果の説明図である。
【図１１】上側スライダ５０の上側を示す斜視図である。
【図１２】図１１のラインＢ−Ｂに沿った断面に相当する断面図である。
【図１３】実施例２によるシフト装置１Ａの説明図である。
【図１４】実施例２によるシフト装置１Ａの説明図である。
【図１５】実施例２による操作ノブ７Ａをスライド可能に支持する機構を示す斜視図である。
【発明を実施するための形態】
【０００９】
以下、添付図面を参照しながら各実施例について詳細に説明する。
【００１０】
［実施例１］
図１は、実施例１によるシフト装置１を概略的に示す上面図である。図２は、図１のラインＡ−Ａに沿った断面を概略的に示す断面図である。図１には、直交する３軸Ｘ，Ｙ，Ｚが定義されている。Ｙ軸は、後述の操作ノブの変位方向（スライド方向）に対応する。尚、シフト装置１の搭載状態では、Ｙ軸は、略水平面内に延在し、Ｚ軸は、上下方向に対応する。但し、シフト装置１の搭載状態では、Ｚ軸は、重力方向に平行ではない場合もありうる。
【００１１】
シフト装置１は、変速比の切り替え操作用のプッシュ式シフト装置であり、ユーザにより操作される。切り替え対象の変速比は、トランスミッション（変速機）の変速比であり、トランスミッションの形式は任意である。シフト装置１は、トランスミッションを有する移動体、例えば車両や航空機などに搭載される。変速比は、例えば、車両において、シフト装置１は、シフトバイワイヤ式のシフト操作に利用されてもよい。
【００１２】
シフト装置１は、ケース本体１０と、操作ノブ２，３，７と、上側スライダ５０（スライダの一例）とを含む。
【００１３】
ケース本体１０は、例えば樹脂等で形成される。ケース本体１０は、移動体に固定される。ケース本体１０は、複数の部材により形成されてよい。ケース本体１０は、シフト装置１の上面を形成するパネル部材１２を含む。
【００１４】
ケース本体１０は、上側の表面に下側に凹む凹部１２０を形成する。凹部１２０は、例えば図２に示すように、パネル部材１２の基本表面１２２よりもＹ方向の負側（第１位置から第２位置に向かう側の一例）に、Ｙ方向負側に向かうほど深くなる態様で形成される。凹部１２０は、図１に示すように、Ｘ方向では、操作ノブ７のＸ方向の長さに対応した長さで延在する。
【００１５】
凹部１２０は、図２に示すように、上側に立ち上がる壁部１３０を有する。壁部１３０は、後述するように、異物に対する防御壁として機能する。壁部１３０は、Ｚ方向で上側に立ち上がりかつＺ方向で上側が開口部１２６（後述）を画成する。壁部１３０は、好ましくは、操作ノブ７のＸ方向の全体をカバーする態様でＸ方向に延在する。即ち、図２に示す壁部１３０と操作ノブ７との関係（後出の図３の関係も同様）は、好ましくは、操作ノブ７のＸ方向の任意の位置で実現される。
【００１６】
また、ケース本体１０は、図２に示すように、凹部１２０内におけるＹ方向負側の端部に、Ｙ方向に開口する開口部１２６を形成する。図２に示す例では、開口部１２６は、凹部１２０よりもＹ方向負側に延在するパネル部材１２の部位１２４と、凹部１２０の表面との間の上下方向の差によって形成される。具体的には、パネル部材１２の部位１２４は、下側に開口部１２６を画成し、凹部１２０の壁部１３０は、上側に開口部１２６を画成する。より具体的には、開口部１２６は、部位１２４のＹ方向正側の端部１２４ａと、凹部１２０のＹ方向負側の端部１２０ａ（壁部１３０のＹ方向負側の端部１２０ａ）との間に形成される。尚、部位１２４は、好ましくは、組み付け性の関係で、凹部１２０とは上面視（Ｚ方向に視たビュー）で重ならない範囲内に延在する。
【００１７】
操作ノブ２，３，７は、ユーザにより操作される部材である。操作ノブ２，３は、例えば上下方向又は上下方向に対して若干傾斜した斜め方向に操作される部材であり、操作ノブ７（第１操作ノブの一例）は、スライド式の操作ノブであり、Ｙ方向に操作される部材である。尚、図1に示す例では、操作ノブ７は、Ｙ方向で操作ノブ２よりも操作ノブ３（第２操作ノブの一例）の近くに配置される。即ち、操作ノブ７は、Ｙ方向で操作ノブ３に隣接して設けられる。変形例では、操作ノブ２，３のいずれか一方又は双方が省略されてもよいし、他の操作ノブが追加されてもよい。
【００１８】
ここで、図２及び図３を参照して、操作ノブ７を更に説明する。
【００１９】
図３は、操作ノブ７が第２位置にあるときの状態を示す図２と同等の断面図である。尚、図２は、操作ノブ７が第１位置にあるときの状態を示す。
【００２０】
操作ノブ７は、開口部１２６に設けられる。操作ノブ７は、図２に示す第１位置と図３に示す第２位置との間でＹ方向に変位可能である。第２位置は、図２及び図３に示すように、第１位置よりもＹ方向負側である。Ｙ方向で第１位置と第２位置との間の距離は、操作ノブ７の操作ストロークに対応する。操作ノブ７は、好ましくは、図１に示すように、第１位置にあるときにＹ方向の正側の端部が開口部１２６から露出する。尚、「開口部１２６から露出する」とは、開口部１２６の入口面（即ち、部位１２４のＹ方向正側の端部１２４ａと凹部１２０のＹ方向負側の端部１２０ａとを結ぶ直線と、Ｘ軸とにより定まる面）からＹ方向正側に操作ノブ７の部位が出ていることを意味する。尚、この場合、部位１２４は、好ましくは、第１位置にある操作ノブ７の上部を露出させる。これにより、ユーザによる操作（矢印Ｒ１参照）が容易となり、操作性が向上する。
【００２１】
操作ノブ７は、Ｙ方向の正側の表面が、ユーザにより押圧操作される押圧操作面７２０を形成する。押圧操作面７２０は、上下方向かつＸ方向に延在する。押圧操作面７２０には、操作性等を高めるための、加工がなされてよい。例えば、押圧操作面７２０には、シボ加工されてもよく、デザイン性向上のためにめっき加工されてもよい。押圧操作面７２０は、壁部１３０とＹ方向で対向する。尚、操作ノブ７が第１位置にあるとき、押圧操作面７２０は、壁部１３０とＹ方向で当接してもよいし、所定の微小な隙間を介してＹ方向で対向してもよい。
【００２２】
操作ノブ７は、凹部１２０とＺ方向で対向しない。これにより、組み付け性が向上する。具体的には、操作ノブ７を含むノブアセンブリにパネル部材１２を、上下方向で下向き（図２の矢印Ｒ２参照）組み付ける（被せる態様で組み付ける）ことができ、組み付け性が良好となる。尚、対照的に、操作ノブ７が凹部１２０とＺ方向で対向する構成では、ノブアセンブリにパネル部材１２を下向き（図２の矢印Ｒ２参照）に組み付けようとすると、パネル部材１２の凹部１２０が操作ノブ７に干渉して組み付けが不能又は困難となる。尚、ノブアセンブリとは、例えば、図４及び図５を参照して後述する上側スライダ５０や下側スライダ５２等に操作ノブ７が組み付けられた状態を指す。
【００２３】
操作ノブ７は、図３に模式的に示すように、操作ノブが第２位置にあるとき、凹部１２０の間に、Ｙ方向の隙間Δ（空間）を形成する。
【００２４】
上側スライダ５０は、図２及び図３に模式的に示すように、操作ノブ７の下側に一体に接続される。例えば、操作ノブ７は、上側スライダ５０とスナップ嵌合により接続される。また、上側スライダ５０には、下側スライダ５２がＹ方向に変位不能に接続される。例えば、上側スライダ５０は、下側スライダ５２と上下方向のピン嵌合により接続される。下側スライダ５２は、バネ９０よりＹ方向正側に付勢される。尚、バネ９０の他端（下側スライダ５２側でない端部）は、ケース本体１０に支持される。下側スライダ５２は、基板７０上の接点７２（図５参照）と電気的に接続される摺動接点５４（図５参照）を備える。
【００２５】
上側スライダ５０は、図２及び図３に模式的に示すように、隙間Δの下方に延在する。上側スライダ５０は、操作ノブ７が第２位置にあるときに隙間Δの下方に延在する部位５６０（以下、「隙間直下部位５６０」と称する）を有し、隙間直下部位５６０に、連通手段である上下方向の貫通穴５７０を有する。貫通穴５７０は、隙間Δと、上側スライダ５０よりも下方の空間３０とを上下方向に連通させる。上側スライダ５０よりも下方の空間３０は、図２に示すように、ケース本体１０を形成するケース部材１１０と上側スライダ５０との間に形成されてよい。ケース部材１１０は、基板７０よりも上側に延在し、隙間Δと基板７０との間の、貫通穴５７０を介した上下方向の直接的な連通を妨げる機能を有する。
【００２６】
貫通穴５７０は、後述のように、隙間Δに挟まり得る異物を下方に落下させる機能（以下、「貫通穴５７０による異物落下促進機能」とも称する）を有する。即ち、貫通穴５７０は、後述のように、隙間Δからの入る異物を空間３０へと落下させる機能を有する。尚、空間３０に落下された異物は、ケース部材１１０に起因して、直接的に基板７０には到達しないので、落下した異物から基板７０上の電気回路等を保護できる。
【００２７】
図４は、上側スライダ５０、下側スライダ５２及びバネ９０の一例の詳細を示す斜視図である。図５は、基板７０及び摺動接点５４の一例の詳細を示す斜視図である。図５には、上側スライダ５０、下側スライダ５２及びバネ９０が併せて示される。図６は、上側スライダ５０とケース部材１１０との関係を示す断面図である。
【００２８】
図４に示す例では、上側スライダ５０は、操作ノブ７とのスナップ嵌合用の爪部５０１を有し、Ｘ方向の両側にスライドガイド部５１０が設けられる。スライドガイド部５１０は、図６に示すように、ケース部材１１０により上下両側から挟持される。従って、上側スライダ５０は、スライドガイド部５１０を介して、Ｙ方向の変位のみが許容される態様でケース本体１０に支持される。また、上側スライダ５０は、Ｘ方向の両側に（図４では一方の側のみが可視）、操作感を作出するためのカム部５２０を備える。カム部５２０には、図示しないアクチュエータが上下方向に係合する。
【００２９】
図５に示す例では、下側スライダ５２には、摺動端子部８０が保持され、摺動端子部８０の下側に設けられる摺動接点５４が基板７０に接触する。操作ノブ７と共に下側スライダ５２がＹ方向に変位すると、摺動接点５４が基板７０上をＹ方向に摺動し、基板７０上の接点７２との電気的な接続状態が変化する。具体的には、操作ノブ７が第２位置に至ると、摺動接点５４が基板７０上の接点７２と電気的に導通する（即ち操作信号を生成する）。尚、摺動接点５４と接点７２は複数組設けられ、多数決の原理に基づいて、操作信号が生成されてもよい。このようにして、基板７０の接点７２は、操作ノブ７の第２位置への変位に基づいて操作信号を生成する接点部の一例を形成する。尚、変形例では、操作ノブ７の第２位置への変位に基づいて操作信号を生成する接点部としては、ラバードーム式のスイッチ等が使用されてもよい。例えば、ラバードーム式のスイッチの場合は、ラバードーム式のスイッチは、Ｙ方向に変位する態様で配置されてよい。
【００３０】
このように実施例１では、操作ノブ７の下側のスペースを利用して上側スライダ５０及び下側スライダ５２が設けられるので、例えば上側スライダ５０を比較的大型（例えば操作ノブ７よりも大型）に形成できる。従って、例えば図６に示すように、Ｘ方向の両側にスライドガイド部５１０を設けることで、スライド操作時の変位の安定性を高めることができる。また、カム部５２０等を介して入力される外力（ばねを介した入力等）に対しても変形しないような剛性を容易に確保できる。
【００３１】
次に、比較例を示す図７及び図８と、図９及び図１０を参照して、実施例１の効果（壁部１３０による異物に対する防御壁としての機能、及び、貫通穴５７０による異物落下促進機能）について説明する。
【００３２】
図７に示す比較例では、壁部１３０が設けられていない。かかる比較例では、粘性の高い液体１０１が凹部６２に侵入するとスライド式の操作ノブ６１とパネル部材６０との間（矢印６３参照）に液体１０１が流れこんで固まってしまい、操作ノブ６１が固着して動かなくなる虞がある。
【００３３】
これに対して、実施例１によれば、図９に示すように、粘性の高い液体１０１が凹部１２０に侵入すると、液体１０１は同様に重力によって下方に移動する。しかしながら、実施例１によれば、液体１０２で示すように、壁部１３０によって塞き止められる。即ち、壁部１３０による塞き止め機能に起因して、操作ノブ７と壁部１３０との間に液体が侵入し難くなり、図７に示す比較例で生じる不都合（操作ノブ７の固着）を低減できる。
【００３４】
図８に示す比較例では、単純に操作ノブ６１の手前（Ｙ方向の正側）に、液体を塞き止めるための壁６５（壁部１３０と同等の壁）が設けられるが、スライダ６９には、貫通穴５７０に対応する貫通穴が形成されていない。図８では、操作位置（Ｙ方向の負側にスライド操作された状態）の操作ノブ６１が示されている。この場合、壁６５は実施例１による壁部１３０と同様に機能できるので、スライド式の操作ノブ６１とパネル部材６０との間に液体が流れこむことに起因した不都合を低減できる。他方、図８に示す比較例では、操作ノブ６１のスライド操作時に壁６５と操作ノブ６１との間にＹ方向の隙間Δができ、お菓子などの大きめの固体１０４が挟まる可能性がある。壁６５と操作ノブ６１との間に固体１０４が挟まると、スライダ６９に起因して固体１０４が落下できず、操作ノブ６１が初期位置に戻れないという問題が生じる。
【００３５】
これに対して、実施例１によれば、図１０に示すように、図８に示す比較例と同様に、操作ノブ７が第２位置にあるときに壁部１３０と操作ノブ７との間にＹ方向の隙間Δができる。従って、お菓子などの大きめの固体１０４が凹部１２０に落下等してくると、同様に、壁部１３０と操作ノブ７との間のＹ方向の隙間Δに起因して、操作ノブ７の操作時（第２位置への変位時）に操作ノブ７と壁部１３０との間に固体が挟まり得る。しかしながら、実施例１によれば、図１０に示すように、貫通穴５７０による異物落下促進機能に起因して、操作ノブ７の操作時（第２位置への変位時）に操作ノブ７と壁部１３０との間に固体が継続的に残存することがなく、図８に示す比較例で生じる不都合（操作ノブ７が第１位置に戻れない不都合）を低減できる。具体的には、操作ノブ７と壁部１３０との間から侵入する固体は、貫通穴５７０を介して空間３０へと落下する（矢印Ｒ３参照）ので、操作ノブ６１が初期位置に戻れないという問題を解消できる。尚、図１０には、物体の落下後の状態Ｇが点線で模式的に示されている。
【００３６】
ここで、実施例１において、貫通穴５７０は、異物落下促進機能を高めるため、好ましくは、操作ノブ７が第２位置にあるときに、上面視で隙間Δに重なる範囲に設けられる。具体的には、貫通穴５７０のＹ方向負側の境界５７０ａは、好ましくは、図１０に示すように、押圧操作面７２０と同一のＹ方向の位置に設定されるか、又は、押圧操作面７２０よりもＹ方向負側に設定される。但し、貫通穴５７０のＹ方向負側の境界５７０ａと押圧操作面７２０との間のＹ方向の距離が、隙間ΔのＹ方向の距離よりも有意に小さければ、貫通穴５７０のＹ方向負側の境界５７０ａが押圧操作面７２０よりもＹ方向正側に設定されてもよい。また、同様に、貫通穴５７０のＹ方向正側の境界５７０ｂは、好ましくは、操作ノブ７が第２位置にあるときに凹部１２０の端部１２０ａと同一のＹ方向の位置に来るように設定されるか、又は、図１０に示すように、操作ノブ７が第２位置にあるときに端部１２０ａよりもＹ方向正側に来るように設定される。但し、同様に、操作ノブ７が第２位置にあるときの、貫通穴５７０のＹ方向正側の境界５７０ｂと端部１２０ａとの間のＹ方向の距離が、隙間ΔのＹ方向の距離よりも有意に小さければ、操作ノブ７が第２位置にあるときに貫通穴５７０のＹ方向正側の境界５７０ｂが端部１２０ａよりもＹ方向負側に来るように設定されてもよい。
【００３７】
ところで、実施例１のように、操作ノブ７に対して、スライド方向で第１位置から第２位置に向かう側に隣接し、スライド方向とは異なる方向に変位可能な操作ノブ３が設けられる場合は、操作ノブ３が設けられない場合に比べて、操作ノブ７よりもＹ方向負側において、操作ノブ７のための機構を配置するスペースに対する制約が大きくなる。他方、実施例１においては、操作ノブ７は、凹部１２０のＹ方向負側の端部付近に設けられるので、凹部１２０の下方のスペースは、操作ノブ７よりもＹ方向負側よりも制約が少ない傾向となる。凹部１２０の下方のスペースを利用して、上側スライダ５０のスライドガイド部５１０等を配置することは、スペースの効率的な利用の観点から有用となるが、その反面として、図８に示した比較例の不都合が生じやすくなる。従って、実施例１は、特に操作ノブ７に対してＹ方向負側に隣接して操作ノブ３が設けられる場合に好適となる。
【００３８】
次に、図１１及び図１２（並びに前出の図６）を参照して、上側スライダ５０の更なる好ましい構成について説明する。
【００３９】
図１１は、上側スライダ５０の上側を示す斜視図である。図１２は、図１１のラインＢ−Ｂに沿った断面に相当する断面図である。
【００４０】
上側スライダ５０は、隙間直下部位５６０において、２つの貫通穴５７０を有する（貫通穴を複数有する一例）。尚、貫通穴５７０の数は、任意であり、１つであってよいし、３つ以上形成されてもよい。また、貫通穴５７０の形状は、任意であり、図１１に示すように上面視で矩形（Ｘ方向に長い長穴）であってよいし、他の円形等であってもよい。また、貫通穴５７０は、Ｘ方向に代えて又は加えて、Ｙ方向に並ぶ態様で形成されてもよい。一の貫通穴５７０のサイズは、任意であるが、好ましくは、上述の異物落下促進機能が良好に実現されるように、お菓子などの大きめの固体１０４（図１０参照）として想定されるサイズに応じて決定される。
【００４１】
上側スライダ５０において、図６、図１１、及び図１２に示すように、上側の表面における貫通穴５７０まわりに面取り部５９０を備える。面取り部５９０は、貫通穴５７０の外周の全体にわたり設けられる。従って、面取り部５９０は、Ｘ方向で貫通穴５７０間に形成されるＹ方向の井桁部位５７２や、上側スライダ５０のＹ方向正側の端部で両側のスライドガイド部５１０にわたるＸ方向の井桁部位５７４等に、形成される。尚、井桁部位５７２は、Ｘ方向の両側に貫通穴５７０を画成するので、Ｘ方向の両側に面取り部５９０がそれぞれ形成される。
【００４２】
面取り部５９０は、図６及び図１２に示すように、上側が狭くなる傾斜方向で面取りすることで形成される。面取り部５９０における上側が狭くなる傾斜方向は、面取り部５９０上の物体の下方への落下を促進する方向である。これにより、上側スライダ５０における必要な剛性を確保しつつ、上述の異物落下促進機能を確保できる。上側スライダ５０における隙間直下部位５６０は、Ｘ方向の両側にスライドガイド部５１０を有するので、比較的高い剛性を有することが有用である。この点、貫通穴５７０は、上側スライダ５０の剛性を低くする要因となるが、複数の貫通穴５７０に分離する井桁構造（井桁部位５７２，５７４を含む構造）を実現することで、上側スライダ５０における必要な剛性を確保することが容易となる。尚、変形例では、井桁部位５７２，５７４は省略され、貫通穴５７０は、Ｙ方向正側が開口する一の切欠きの形態で実現されてもよい。
【００４３】
［実施例２］
実施例２によるシフト装置１Ａは、上述した実施例１によるシフト装置１に対して、操作ノブ７が、操作ノブ７Ａで置換され、かつ、操作ノブ７Ａをスライド可能に支持する機構が異なる。以下、異なる部分を中心に説明し、実質的に同一であってよい構成要素については、同一の参照符号を付して説明を省略する。
【００４４】
図１３は、操作ノブ７Ａが第１位置にあるときのシフト装置１Ａの概略的な断面図であり、図１４は、操作ノブ７Ａが第２位置にあるときのシフト装置１Ａの概略的な断面図である。図１５は、操作ノブ７Ａをスライド可能に支持する機構を示す斜視図である。尚、図１３及び図１４では、基板７０やバネ９０等については図示が省略されている。
【００４５】
操作ノブ７Ａは、図１３に示す第１位置と図１４に示す第２位置との間でＹ方向に変位可能である。操作ノブ７Ａは、図１５に示すように、上側スライダ５０Ａの突起５５０にＹ方向で当接する部位７１０を備える。尚、部位７１０は、ユーザにより押圧操作される押圧操作面７２０とは反対側の表面から、Ｙ方向負側に突設される。従って、部位７１０は、操作ノブ７Ａの外観に影響しない部位である。操作ノブ７Ａは、ケース本体１０を形成するスライド支持部材１４０に、Ｙ方向にスライド可能に支持される。スライド支持部材１４０は、上側スライダ５０Ａの突起５５０が挿通されるＹ方向に長い長穴１４２を有する。従って、上側スライダ５０Ａは、スライド支持部材１４０に干渉することなく、操作ノブ７Ａと一体にＹ方向に変位可能である。尚、上側スライダ５０Ａは、上述した実施例１による上側スライダ５０と同様、スライドガイド部５１０やカム部５２０等を有する。
【００４６】
実施例２においても、図１３及び図１４に示すように、操作ノブ７Ａが図１４に示す第２位置にあるときは、操作ノブ７Ａと凹部１２０（壁部１３０）の間に、Ｙ方向の隙間Δ（空間）が形成される。また、実施例２においても、上側スライダ５０Ａは、操作ノブ７Ａが図１４に示す第２位置にあるときに隙間Δの下方に延在する部位５６０Ａ（隙間直下部位５６０Ａ）において、上述した実施例１による上側スライダ５０と同様の貫通穴５７０Ａを有する。
【００４７】
従って、実施例２によっても、上述した実施例１と同様の効果を得ることができる。即ち、実施例２によれば、壁部１３０による塞き止め機能に起因して、操作ノブ７Ａと壁部１３０との間に液体が侵入し難くなり、図７に示した比較例で生じる不都合（操作ノブ７Ａの固着）を低減できる。また、実施例２によれば、お菓子などの大きめの固体が凹部１２０に落下等し、操作ノブ７Ａの操作時（第２位置への変位時）に操作ノブ７Ａと壁部１３０との間から侵入しても、固体を貫通穴５７０Ａを介して空間３０へと落下させることができ、図８に示した比較例で生じる不都合（固体が挟まって操作ノブ７Ａが第１位置に戻れない不都合）を低減できる。
【００４８】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００４９】
例えば、上述した実施例１（実施例２についても同様）では、壁部１３０は、操作ノブ７の押圧操作面７２０に対してＺ方向でオーバラップしているが、これに限られない。例えば、壁部１３０は、操作ノブ７の押圧操作面７２０の下端よりも下方に上端を有してもよい。
【００５０】
本国際出願は２０１７年６月５日に出願された日本国特許出願２０１７−１１１２０４号に基づく優先権を主張するものであり、その全内容をここに援用する。
【符号の説明】
【００５１】
１  シフト装置
１Ａ  シフト装置
２  操作ノブ
３  操作ノブ
７  操作ノブ
７Ａ  操作ノブ
１０  ケース本体
１２  パネル部材
３０  空間
５０  上側スライダ
５０Ａ  上側スライダ
５２  下側スライダ
５４  摺動接点
７０  基板
７２  接点
８０  摺動端子部
９０  バネ
１１０  ケース部材
１２０  凹部
１２０ａ  端部
１２２  基本表面
１２４  部位
１２４ａ  端部
１２６  開口部
１３０  壁部
１４０  スライド支持部材
１４２  長穴
５０１  爪部
５１０  スライドガイド部
５２０  カム部
５５０  突起
５６０  隙間直下部位
５６０Ａ  隙間直下部位
５７０  貫通穴
５７０Ａ  貫通穴
５７２  井桁部位
５７４  井桁部位
５９０  面取り部
７１０  部位
７２０  押圧操作面
【図１】
2018225400.tif 000003
【図２】
2018225400.tif 000004
【図３】
2018225400.tif 000005
【図４】
2018225400.tif 000006
【図５】
2018225400.tif 000007
【図６】
2018225400.tif 000008
【図７】
2018225400.tif 000009
【図８】
2018225400.tif 000010
【図９】
2018225400.tif 000011
【図１０】
2018225400.tif 000012
【図１１】
2018225400.tif 000013
【図１２】
2018225400.tif 000014
【図１３】
2018225400.tif 000015
【図１４】
2018225400.tif 000016
【図１５】
2018225400.tif 000017
【国際調査報告】
2018225400.tif 000018
2018225400.tif 000019
2018225400.tif 000020
2018225400.tif 000021